(57)【要約】【課題】浮遊固形物（ＳＳ）に占める有機性成分が多い廃水であっても、有機体窒素成分及びリン化合物を効率よく分離・回収して、分離水のＳＳ濃度、ＢＯＤ及びＣＯＤを低減することで、良質な処理水が得られる処理方法を提供する。【解決手段】ＳＳに対して揮発性浮遊物質が５０％／ＳＳ以上、８５％／ＳＳ以下である有機性廃水に、高分子凝集剤を添加してフロックを形成した後に、固液分離して前記有機性廃水から前記フロックを分離する。【選択図】なし【特許請求の範囲】
【請求項１】
浮遊固形物（ＳＳ）に対して有機体窒素成分が６％／ＳＳ以上、２０％／ＳＳ以下であり、有機体窒素成分が８００ｍｇ／Ｌ以上、１００００ｍｇ／Ｌ以下である有機性廃水に、構成する各高分子凝集剤の全構成単位の合計に対してカチオン性構成単位を１０モル％以上、６０モル％以下含む高分子凝集剤（Ｘ）を添加してフロックを形成した後に、固液分離して前記有機性廃水から前記フロックを分離する、有機性廃水の処理方法。
【請求項２】
前記高分子凝集剤（Ｘ）が、構成する各高分子凝集剤の全構成単位の合計に対してカチオン性構成単位を１０モル％以上、５４モル％以下含む請求項１に記載の有機性廃水の処理方法。
【請求項３】
前記高分子凝集剤（Ｘ）が、構成する各高分子凝集剤の全構成単位の合計に対してカチオン性構成単位を１０モル％以上、５０モル％以下含む請求項１に記載の有機性廃水の処理方法。
【請求項４】
前記高分子凝集剤（Ｘ）が、構成する各高分子凝集剤の全構成単位の合計に対してカチオン性構成単位を１５モル％以上、４０モル％以下含む請求項１または請求項２に記載の有機性廃水の処理方法。
【請求項５】
前記フロックが有機体窒素成分を含有するフロックである、請求項１〜４のいずれか一項に記載の有機性廃水の処理方法。
【請求項６】
前記有機性廃水がリン化合物を含み、前記フロックがリン化合物を含有するフロックである、請求項１〜５のいずれか一項に記載の有機性廃水の処理方法。
【請求項７】
前記高分子凝集剤（Ｘ）が、下記一般式（１）で表されるカチオン性構成単位を有する非アミジン系カチオン性ポリマー（Ａ）である請求項１〜６のいずれか一項に記載の有機性廃水の処理方法。
【化１】
2018153811.tif 000031
（一般式（１）中、Ｒ１は、水素原子又はメチル基を表し、Ｒ２及びＲ３は、それぞれ独立して水素原子及び炭素数が１〜４のアルキル基のうちのいずれかを表し、Ｒ４は、炭素数が１〜４のアルキル基又はベンジル基を表し、Ｙは、酸素原子又はＮＨであり、Ｚ−は、陰イオンを表し、ｎは１〜３の整数を表す。）
【請求項８】
前記高分子凝集剤（Ｘ）が、高分子凝集剤の全構成単位に対して前記一般式（１）で表されるカチオン性構成単位を８０モル％以上、１００モル％以下含む非アミジン系カチオン性ポリマー（ＡＨ）と、前記一般式（１）で表されるカチオン性構成単位を１モル％以上、１０モル％以下含む非アミジン系カチオン性ポリマー（ＡＬ）との混合物から成る、請求項７に記載の有機性廃水の処理方法。
【請求項９】
前記高分子凝集剤（Ｘ）が、アミジン系カチオン性ポリマー（Ｂ）を更に含み、前記アミジン系カチオン性ポリマー（Ｂ）が下記一般式（２）及び下記一般式（３）で表されるアミジン構成単位のうちの少なくとも一つを有する、請求項１〜８のいずれか一項に記載の有機性廃水の処理方法。
【化２】
2018153811.tif 000032
【化３】
2018153811.tif 000033
（一般式（２）及び一般式（３）中、Ｒ５、Ｒ６はそれぞれ独立して水素原子又はメチル基のいずれかを表し、Ｘ−は陰イオンを表す。）
【請求項１０】
前記有機性廃水の下記式で求められるコロイド比が５．０以上である請求項１〜９のいずれか一項に記載の有機性廃水の処理方法。
【数１】
2018153811.tif 000034
（式中、コロイド値（上澄み）（ｍｅｑ／Ｌ）は、有機性廃水を３０００ｒｐｍで５分間、遠心分離にかけて得られる上澄み液に含まれる荷電量を示し、コロイド値（全体）（ｍｅｑ／Ｌ）は、有機性廃水中に含まれる荷電量を示し、ＴＳ（％）は、有機性廃水中の蒸発残留物の重量百分率を示し、ＳＳ（％）は、有機性廃水中の浮遊固形物の重量百分率を示し、ＳＶＩ３０００（ｍＬ／ｇ）は有機性廃水を３０００ｒｐｍで５分間、遠心分離にかけて得られる沈殿物の比容積を示す。）
【請求項１１】
構成する各高分子凝集剤の全構成単位の合計に対してカチオン性構成単位を１０モル％以上、６０モル％以下含む高分子凝集剤を含む、
浮遊固形物（ＳＳ）に対して有機体窒素成分が６％／ＳＳ以上、２０％／ＳＳ以下であり、有機体窒素成分が８００ｍｇ／Ｌ以上、１００００ｍｇ／Ｌ以下である有機性廃水に添加して有機体窒素成分を含むフロックを形成した後に固液分離して前記有機性廃水から前記フロックと有機体窒素成分を分離回収するための有機性廃水処理用組成物。
【請求項１２】
構成する各高分子凝集剤の全構成単位の合計に対してカチオン性構成単位を１０モル％以上、６０モル％以下含む高分子凝集剤を含む、
浮遊固形物（ＳＳ）に対して有機体窒素成分が６％／ＳＳ以上、２０％／ＳＳ以下であり、有機体窒素成分が８００ｍｇ／Ｌ以上、１００００ｍｇ／Ｌ以下であり、リン化合物を含む有機性廃水に添加して、リン化合物を含むフロックを形成した後に、固液分離して前記有機性廃水から前記フロックとリン化合物を分離回収するための有機性廃水処理用組成物。
【発明の詳細な説明】
【技術分野】
【０００１】
本発明は、有機性廃水の処理方法及び、高分子凝集剤に関し、例えば、有機性廃水を低コストで浄化する処理方法及び、それに使用するための高分子凝集剤に関する。より詳しくは、本発明は、有機性廃水中の有機物のみならず、有機体窒素成分を固形物として凝集フロックに含有させ、効率よく分離回収し、処理水のＢＯＤ、ＣＯＤ及び全窒素を大幅に低減することで、良質な水質の処理水が得られる有機性廃水の処理方法及び、それに使用するための高分子凝集剤に関する。
【背景技術】
【０００２】
有機性廃水の処理方法として活性汚泥法が挙げられる。活性汚泥法は、活性汚泥を曝気して好気的な条件で微生物に汚泥中の汚濁物質を分解させ、汚濁物質濃度及び曝気量を適切に管理することで良質な処理水を得る方法である。活性汚泥法は、下水及び工場から排出される有機性廃水等の浄化処理で多く利用されている。
【０００３】
活性汚泥法は、有機性廃水中に含まれるＢＯＤの除去効果は高いが、反面、窒素化合物及びリン化合物の除去効果は低い。また、処理に要する時間が長く、設備費も高価であり、多大な設置面積及び設置空間が必要になる。
【０００４】
糞尿を多く含む畜産系の有機性廃水、及び、大規模な工場から排出される有機性廃水は、処理設備に与える負荷が激しく変動する。そのため、処理設備を正常に稼動するための運転条件が複雑で、メンテナンスが困難であり多大な労力が必要になる。また、畜産系の有機性廃水の多くは、廃水中のＢＯＤ、ＣＯＤ及び窒素化合物の含有量が高いため、処理時間の増加及び曝気槽の容積増大により処理設備の運転コストの増加が問題視されている。
【０００５】
一方、前記の有機性廃水には、窒素化合物及びリン化合物として、蛋白質等の高い栄養成分が含まれている。これらの栄養成分は、飼育動物のための飼料又はその原料への再利用、果樹及び作物等の植物のための有機質肥料、堆肥又はその原料等として有効に利用できる有価物として注目されている。
【０００６】
これらの蛋白質を、有機性廃水から分離・精製して使用する場合には、凝集・濃縮処理を行って、固形物として回収する方法が有効である。しかしながら、有機性廃水中の蛋白質の多くは凝集性が低く、特に廃水の液相に溶解している溶解性蛋白質は不溶化が極めて困難であり、複雑な処理が必要になる。
【０００７】
有機性廃水に高分子凝集剤を添加・混合し、廃水中の有機物を凝集させ固形物として固液分離する方法について特許文献１及び２に記載されている。特許文献１及び２のどちらも、多種の薬剤を組み合わせて使用することで、有機物との反応性を改善することや、固液分離の効率を改善することを目的としたものである。
【先行技術文献】
【特許文献】
【０００８】
【特許文献１】特開平７−１７８３９９号公報
【特許文献２】特開２０１３−３９５３９公報
【発明の概要】
【発明が解決しようとする課題】
【０００９】
しかし、特許文献１及び２に記載された処理方法は、いずれも次の問題を有している。
【００１０】
つまり、煩雑な前処理を行うため、多大な労力と処理コストを必要とする。また、浮遊固形物（以下、「ＳＳ」という。）に含まれる有機体窒素成分の割合が高い有機性廃水に対しては、効果は不十分であり、蛋白質の回収性は低く、更に、有機性廃水中のＢＯＤ及びＣＯＤを低減するには至っていない。
【００１１】
また、活性汚泥法等の従来の有機性廃水の処理方法は、前処理の工程で無機凝結剤等の添加物を多量に使用するため、その後回収した固形物を肥料や飼料として使用する際に、植物の成長や家畜の身体への悪影響が懸念されるので好ましい処理方法ではない。
【００１２】
本発明は、このような問題に鑑みて成されたものであり、ＳＳに占める有機体窒素成分が多い廃水であっても、有機体窒素成分及びリン化合物を効率よく分離回収して、分離水のＳＳ、ＢＯＤ及びＣＯＤを低減することで、良質な処理水が得られる処理方法を提供することを主たる目的とする。
【課題を解決するための手段】
【００１３】
本発明者らは、前述した問題を解決するために、鋭意検討した結果、次の知見を得た。即ち、特定の有機性廃水に対して、高分子凝集剤を添加し混合することで、蛋白質等の有機体窒素成分やリン化合物を含むフロックが形成され、その後、固液分離によって有機性廃水からフロックを回収することで、有機体窒素成分及びリン化合物を効率よく回収し、且つ処理水のＳＳ、ＢＯＤ、ＣＯＤを低減できることを見出した。
【００１４】
これまで、無機凝結剤を使用せずに高分子凝集剤単独で有機性廃水中の有機体窒素成分を凝集分離する処理方法に関する検討の報告及び実績はない。しかし、本発明者らは、高分子凝集剤単独での凝集処理によって、好ましくは特定の高分子凝集剤を使用することによって、有機性廃水中の有機体窒素成分、特に溶解性蛋白質が効率良くフロック内に取り込まれ、また、有機性廃水中のリン化合物、ＳＳ、ＢＯＤ成分及びＣＯＤ成分も同時に良好に凝集し、その後、固液分離によってフロックを回収することで、有機体窒素成分及びリン化合物の優れた回収効果と、良質な処理水が得られることを見出した。
【００１５】
即ち、本発明は、以下の側面を有する。
【００１６】
浮遊固形物（ＳＳ）に対して有機体窒素成分が６％／ＳＳ以上、２０％／ＳＳ以下である有機性廃水に、高分子凝集剤を添加してフロックを形成した後に、固液分離して前記有機性廃水から前記フロックを分離する、有機性廃水の処理方法。
【００１７】
高分子凝集剤を含む、浮遊固形物（ＳＳ）に対して有機体窒素成分が６％／ＳＳ以上、２０％／ＳＳ以下である有機性廃水に添加して有機体窒素成分を含むフロックを形成した後に固液分離して前記有機性廃水から前記フロックと有機体窒素成分を分離回収するための有機性廃水処理用組成物。
【００１８】
高分子凝集剤を含む、浮遊固形物（ＳＳ）に対して有機体窒素成分が６％／ＳＳ以上、２０％／ＳＳ以下でありリン化合物を含む有機性廃水に添加して、リン化合物を含むフロックを形成した後に、固液分離して前記有機性廃水から前記フロックとリン化合物を分離回収するための有機性廃水処理用組成物。
【発明の効果】
【００１９】
本発明によれば、ＳＳに占める有機体窒素成分が多い廃水であっても、有機体窒素成分及びリン化合物を効率よく分離回収して、分離水のＳＳ、ＢＯＤ及びＣＯＤを低減することで、良質な処理水が得られるという効果を奏する。
【発明を実施するための形態】
【００２０】
以下、本発明を詳細に説明する。
【００２１】
＜用語の説明＞
まず、本明細書内のいくつかの用語に関して説明する。
【００２２】
「有機性廃水」とは有機物を含む廃水を意味する。例えば、有機性廃水は、ＢＯＤ成分、ＣＯＤ成分、有機体窒素成分、リン化合物、またそれ以外の懸濁物質、コロイド状物質、イオン性成分等を含む廃水である。
【００２３】
「ＢＯＤ」とは、有機性廃水に含まれる水溶性及び非水溶性の有機物による汚濁を意味する。本明細書において、ＢＯＤの値は、ＪＩＳ Ｋ ０１０２：２１及び３２．３に記載のＢＯＤ分析方法に準じて測定した値を意味する。従って、本明細書において「ＢＯＤ」とは、試料を５日間培養した方法で測定されたＢＯＤ５を意味する。また、ＢＯＤとして検出される成分を、本明細書では説明の便宜のため「ＢＯＤ成分」という。
【００２４】
「ＣＯＤ」とは、有機性廃水に含まれる水溶性及び非水溶性の有機物による汚濁を意味し、本明細書においてＢＯＤの代替値として用いることもある。本明細書において、ＣＯＤの値は、ＪＩＳ Ｋ ０１０２：１７に記載のＣＯＤ（Ｍｎ）分析方法に準じて測定した値を意味する。従って、本明細書において「ＣＯＤ」とは、過マンガン酸カリウムを酸化剤とした方法で測定されたＣＯＤＭｎを意味する。また、ＣＯＤとして検出される成分を、本明細書では説明の便宜のため「ＣＯＤ成分」という。
【００２５】
「有機体窒素成分」とは、有機性廃水に含まれる全蛋白質を意味し、有機性廃水のＳＳ中に含まれるＳＳ性蛋白質と、液相に溶解している溶解性蛋白質とに分類される。なお、本発明において処理の対象とする有機性廃水は、有機体窒素成分以外の窒素成分を含んでもよい。本明細書において、有機体窒素成分の値は、具体的にはＢｒａｄｆｏｒｄ法を用いて測定した値を意味する。
【００２６】
「溶解性蛋白質」とは、有機性廃水中の液相に溶解している蛋白質を意味する。本明細書において溶解性蛋白の値は、有機性廃水を３０００ｒｐｍで５分間、遠心分離にかけて上澄み液を得た後、上澄み液中の蛋白質を色素クマシーブルーで発色させて吸光度を測定するＢｒａｄｆｏｒｄ法を用いて測定した値を意味する。
【００２７】
「リン化合物」とは、有機性廃水に含まれる全リンを意味する。本明細書において、リン化合物の値は、ＪＩＳ  Ｋ  ０１０２：４６．３．１およびＪＩＳ  Ｋ  ０１０２：４６．１．１に記載のペルオキソ二硫酸カリウム分解法とモリブデン青吸光光度法に準じて測定した値を意味する。
【００２８】
「イオン性成分」とは、有機性廃水に含まれるアニオン性又は両性の有機高分子成分及び無機塩由来のアニオン性成分を意味する。
【００２９】
「コロイド値」は、有機性廃水、又は有機性廃水の上澄み液に含まれる荷電量を意味する。また、ここでの荷電量は有機性廃水中に含まれるＢＯＤ成分、ＣＯＤ成分、有機体窒素成分、リン化合物、またそれ以外の懸濁物質、コロイド状物質、イオン性成分等に由来する。コロイド値（上澄み）（ｍｅｑ／Ｌ）は、有機性廃水を３０００ｒｐｍ×５分で遠心分離して得られる上澄み液に含まれる荷電量を意味し、コロイド値（全体）（ｍｅｑ／Ｌ）は、有機性廃水中に含まれる荷電量を意味する。
【００３０】
コロイド値（上澄み）の値は、具体的には以下の手順で測定した値を意味する。
（１）有機性廃水１００ｍＬを遠沈管に量り取る。
（２）３０００ｒｐｍで５分間、遠心分離にかけて固液分離を行い、液相部分を上澄み液として採取する。
（３）２００ｍＬのトールビーカーに、前記上澄み液を１０ｍＬ採取し、純水を９０ｍＬ加える。
（４）さらに１／２００Ｎのメチルグリコールキトサン溶液を２ｍＬ加えて撹拌する。
（５）さらに指示薬としてトルイジンブルーを１〜２滴加える。
（６）５００ｒｐｍで撹拌しながら、１／４００Ｎのポリビニル硫酸カリウム水溶液にて滴定し、液の色が青からピンクに変わる滴定量Ｘ（ｍＬ）を測定する。
（７）同様に純水１００ｍＬに対して、（２）〜（３）の作業で滴定し、ブランクの滴定量Ｙ（ｍＬ）を測定する。
（８）下記式を用いて、コロイド値（ｍｅｑ／Ｌ）を求める。
【００３１】
【数１】
2018153811.tif 000002
【００３２】
コロイド値（全体）の値は、具体的には以下の手順で測定した値を意味する。
（１）有機性廃水１０ｍＬを２００ｍＬのガラスビーカーに量り取り、純水を９０ｍＬ加える。
（２）１／２００Ｎのメチルグリコールキトサン溶液を１０ｍＬ加えて撹拌する。
（３）マグネチックスターラーを用いて５００ｒｐｍで１０分間、撹拌する。
（４）遠沈管に移し、３０００ｒｐｍで１０分間、遠心分離にかけて固液分離を行い、液相部分６０ｍＬを２００ｍＬのトールビーカーに採取する。
（５）指示薬としてトルイジンブルーを１〜２滴加える。
（６）５００ｒｐｍで撹拌しながら、１／４００Ｎのポリビニル硫酸カリウム水溶液にて滴定し、液の色が青からピンクに変わる滴定量Ｗ（ｍＬ）を測定する。
（７）純水１００ｍＬに対して、（２）〜（６）の作業で滴定し、ブランクの滴定量Ｚ（ｍＬ）を測定する。
（８）下記式を用いて、コロイド値（ｍｅｑ／Ｌ）を求める。
【００３３】
【数２】
2018153811.tif 000003
【００３４】
「ＳＳ」とは有機性廃水中の浮遊固形物を意味する。
本明細書においてＳＳの値は、具体的には以下に示す手順で測定した値を意味する。
（１）有機性廃水５０ｍＬを遠沈管に量り取る。
（２）３５００ｒｐｍで１０分間、遠心分離し、沈殿物を採取する。
（３）前記沈殿物をそのまま１０５℃で６時間乾燥し残量（沈殿固形物量Ｃ）（ｇ）を秤量する。
（４）下記式を用いて、ＳＳ（％）を求める。
【００３５】
【数３】
2018153811.tif 000004
【００３６】
「ＴＳ」とは有機性廃水中の蒸発残留物を意味する。
本明細書においてＴＳの値は、具体的には以下に示す手順で測定した値を意味する。
（１）有機性廃水５０ｇを１０５℃で６時間乾燥し残量（総固形物量Ｄ）（ｇ）を秤量する。
（２）下記式を用いて、ＴＳ（％）を求める。
【００３７】
【数４】
2018153811.tif 000005
【００３８】
「ＳＶＩ３０００」とは有機性廃水を３０００ｒｐｍで５分間に遠心分離にかけて得られる沈殿物の比容積を意味する。本明細書においてのＳＶＩ３０００の値は、具体的には以下に示す手順で測定した値を意味する。
（１）有機性廃水１００ｍＬを遠沈管に量り取る。
（２）３０００ｒｐｍで５分間、遠心分離にかけて固液分離を行い、液相部分と沈殿物に分離する。
（３）前記液相部分の容積Ｅ（ｍＬ）を測定する。
（４）前記沈殿物の全量をそのまま１０５℃で６時間乾燥し残量（沈殿固形物量Ｆ）（ｇ）を秤量する。
（５）下記式を用いて、ＳＶＩ３０００（ｍＬ／ｇ）を求める。
【００３９】
【数５】
2018153811.tif 000006
【００４０】
「コロイド比」とは有機性廃水のコロイド値（全体）に対するコロイド値（上澄み）の比を意味する。本明細書においてのコロイド比の値は、具体的には下記式で求められる。
【００４１】
【数６】
2018153811.tif 000007
【００４２】
「構成単位」とは、モノマーが重合することによって形成されたモノマー分子由来の構造単位、又は、モノマー分子由来の構造単位のペンダント基と他のモノマー分子由来の構造単位のペンダント基との反応によってペンダント基同士が連結した２つ以上のモノマー分子由来の構造単位からなる構造単位を意味する。
【００４３】
「凝集剤」とは、有機性廃水に含まれる水溶性及び非水溶性の汚濁物質、懸濁物質、コロイド状物質、イオン性成分等を凝集して、フロックを形成する機能を有する薬剤を意味する。フロックは、例えば、微細フロック、凝集フロック等であり得る。また、本明細書において「高分子凝集剤」とは、前記凝集剤の内、高分子化合物であるものを意味する。
【００４４】
「ポリマー」とは、単数種類又は複数種類の構成単位から構成された構造を有する、高分子化合物を意味する。
【００４５】
「凝集処理」とは、有機性廃水に含まれるＢＯＤ成分、ＣＯＤ成分、有機体窒素成分、リン化合物、これら以外の懸濁物質、コロイド状物質、イオン性成分等を凝集してフロックを形成した後に固液分離して、分離水と分離固形分であるフロックとを得ることを意味する。
【００４６】
「処理水」とは、有機性廃水の凝集処理で、固液分離によってフロックを分離した液分のことを意味する。
【００４７】
＜有機性廃水の処理方法＞
本発明に係る有機性廃水の処理方法は、浮遊固形物（ＳＳ）に対して有機体窒素成分が６％／ＳＳ以上、２０％／ＳＳ以下である有機性廃水に、高分子凝集剤を添加してフロックを形成した後に、固液分離して前記有機性廃水から前記フロックを分離する方法である。
【００４８】
有機体窒素成分の含有量が６％／ＳＳ以上、２０％／ＳＳ以下という、ＳＳに占める有機体窒素成分が多い廃水であっても、高分子凝集剤を用いることで、有機体窒素成分及びリン化合物を効率よく分離回収することができる。また、処理水のＳＳ、ＢＯＤ、ＣＯＤも処理前の有機性廃水に比べて良好に低減することができる。また、高分子凝集剤を有機性廃水に混合して固液分離するだけでよいので、処理を簡易に行うことができる。
【００４９】
〔有機性廃水〕
本発明に係る有機性廃水の処理方法が対象とする有機性廃水としては、上述の通り有機物を含む廃水であればよい。具体的には、畜産施設から発生する畜産糞尿廃水、糞尿を含む廃水に対してメタン醗酵処理を行うことで得られる消化液等を例示できる。また、雑生活下水及びし尿を含む下水等の廃水、飲料工場及び食品工場から発生する廃水、染色、樹脂、繊維及び化成品等の化学工場から発生する廃水、並びに、ここに例示した以外の様々な工場施設より発生する廃水等を例示できる。
【００５０】
本発明に係る有機性廃水の処理方法が対象とする有機性廃水に含まれる有機物は、水溶性及び非水溶性の有機物のいずれであってもよく、双方が混ざっていてもよい。有機物の含有量の指標として、ＣＯＤ及び全蛋白質含有量の値を用いることができる。
【００５１】
本発明に係る有機性廃水の処理方法が対象とする有機性廃水のＣＯＤの範囲は、４０００ｍｇ／Ｌ以上が好ましく、７０００ｍｇ／Ｌ以上がより好ましく、１００００ｍｇ／Ｌ以上が更に好ましい。有機性廃水のＣＯＤが前記範囲内であれば、凝集処理において、良好な有機体窒素の回収効果と、ＢＯＤ及びＣＯＤによる環境への負荷の低減の良好な効果とが得られる。従って、本発明に有機性廃水の処理方法によって、良質な処理水を得ることができる。
【００５２】
本発明に係る有機性廃水の処理方法が対象とする有機性廃水のＳＳの範囲は、５０ｍｇ／Ｌ以上が好ましく、５００ｍｇ／Ｌ以上がより好ましく、１０００ｍｇ／Ｌ以上が更に好ましい。またＳＳの範囲は、１０００００ｍｇ／Ｌ以下が好ましく、５００００ｍｇ／Ｌ以下がより好ましく、３００００ｍｇ／Ｌ以下が更に好ましい。有機性廃水のＳＳが前記範囲内であれば、有機性廃水の凝集処理において、有機体窒素成分とリン化合物を含む凝集フロックが良好に形成され、優れた有機体窒素成分とリン化合物の回収効果が得られる。
【００５３】
本発明に係る有機性廃水の処理方法が対象とする有機性廃水のＴＳの範囲は、１００ｍｇ／Ｌ以上が好ましく、１０００ｍｇ／Ｌ以上がより好ましく、２０００ｍｇ／Ｌ以上が更に好ましい。またＳＳの範囲は、１０００００ｍｇ／Ｌ以下が好ましく、５００００ｍｇ／Ｌ以下がより好ましく、３００００ｍｇ／Ｌ以下が更に好ましい。有機性廃水のＴＳが前記範囲内であれば、有機性廃水の凝集処理において、有機体窒素成分とリン化合物を含む凝集フロックが良好に形成され、優れた有機体窒素成分とリン化合物の回収効果が得られる。
【００５４】
本発明に係る有機性廃水の処理方法が対象とする有機性廃水のＳＳに対する有機体窒素成分の範囲は、６％／ＳＳ以上であればよい。また、８％／ＳＳ以上であることがより好ましく、１０％／ＳＳ以上であることが更に好ましい。また、ＳＳに対する有機体窒素成分の範囲は、２０％／ＳＳ以下であればよいが、１８％／ＳＳ以下がより好ましく、１６％／ＳＳ以下が更に好ましい。有機性廃水のＳＳに対する有機体窒素成分が前記範囲内であれば、有機性廃水の凝集処理において、有機体窒素成分とリン化合物を含む凝集フロックが良好に形成され、優れた有機体窒素成分とリン化合物の回収効果が得られる。
【００５５】
本発明に係る有機性廃水の処理方法が対象とする有機性廃水の有機体窒素成分の範囲は、８００ｍｇ／Ｌ以上であればよい。また、１０００ｍｇ／Ｌ以上であればより好ましく、１２００ｍｇ／Ｌ以上であれば更に好ましい。また有機体窒素成分の範囲は、１００００ｍｇ／Ｌ以下であればよいが、８０００ｍｇ／Ｌ以下であればより好ましく、６０００ｍｇ／Ｌ以下であれば更に好ましい。有機性廃水の有機体窒素成分が前記範囲内であれば、有機性廃水の凝集処理において、有機体窒素成分とリン化合物を含む凝集フロックが良好に形成され、優れた有機体窒素成分とリン化合物の回収効果が得られる。
【００５６】
本発明に係る有機性廃水の処理方法が対象とする有機性廃水のリン化合物の範囲は、１００ｍｇ／Ｌ以上であればよい。また、３００ｍｇ／Ｌ以上であればより好ましく、６００ｍｇ／Ｌ以上であれば更に好ましい。またリン化合物の範囲は、７０００ｍｇ／Ｌ以下であればよいが、５０００ｍｇ／Ｌ以下であればより好ましく、３０００ｍｇ／Ｌ以下であれば更に好ましい。有機性廃水のリン化合物が前記範囲内であれば、有機性廃水の凝集処理において、有機体窒素成分とリン化合物を含む凝集フロックが良好に形成され、優れた有機体窒素成分とリン化合物の回収効果が得られる。
【００５７】
本発明に係る有機性廃水の処理方法が対象とする有機性廃水の上澄み液のコロイド比の範囲は、５．０以上であれば好ましく、８．０以上であればより好ましく、１０．０以上であれば更に好ましく、１５．０以上であれば特に好ましい。また上澄み液のコロイド値の範囲は、６０．０以下であればよい。また５０．０以下であればより好ましく、４０．０以下であれば更に好ましい。有機性廃水のコロイド比の範囲が前記範囲内であれば、有機性廃水の凝集処理において、有機体窒素成分とリン化合物を含む凝集フロックが良好に形成され、優れた有機体窒素成分とリン化合物の回収効果が得られる。
【００５８】
以上のように、本発明に係る有機性廃水の処理方法は有機体窒素成分及びリン化合物の分離回収に優れているため、有機性廃水として有機体窒素成分及びリン化合物が含まれているものを好適に用いることができ、その結果得られるフロックは当該有機体窒素成分及びリン化合物を含有することとなる。
【００５９】
〔高分子凝集剤（Ｘ）〕
本発明に係る有機性廃水の処理方法で用いる高分子凝集剤は特に限定されるものではないが、少なくとも一種以上の高分子凝集剤から成る高分子凝集剤（Ｘ）であってもよく、高分子凝集剤（Ｘ）としては、カチオン性構成単位と非イオン性構成単位とを有するものをより好適に用いることができる。
【００６０】
（構成単位）
高分子凝集剤（Ｘ）を構成する各高分子凝集剤の全構成単位の合計に対して、カチオン性構成単位の含有量の範囲は１０モル％以上が好ましく、１５モル％以上がより好ましい。また、含有量の範囲は６０モル％以下が好ましく、４０モル％以下がより好ましい。高分子凝集剤（Ｘ）を構成する各高分子凝集剤の全構成単位の合計に対して、非イオン性構成単位の含有量の範囲は１モル％以上がより好ましい。また、９９モル％以下が好ましい。
【００６１】
本発明に係る有機性廃水の処理方法が対象とする有機性廃水の上澄み液にはＢＯＤ成分、ＣＯＤ成分、有機体窒素成分、リン化合物、またそれ以外の懸濁物質、コロイド状物質、イオン性成分等のマイナス荷電を有する成分（以下、「マイナス荷電成分」という。）が多く含まれる。本発明に係る有機性廃水の処理方法における凝集フロック形成過程では、前記高分子凝集剤のカチオン性構成単位と前記マイナス荷電が反応し高粘性の不溶化物が微細フロックとして形成されるが、その後、その微細フロックが凝集して粗大な凝集フロックへと成長していく。前記有機体窒素成分は、前記の微細フロックが粗大な凝集フロックへと成長する際に、凝集フロック内に取り込まれていくと考えられる。更に、この微細フロックが形成される反応は、高分子凝集剤と有機性廃水が均一に混和した後で進行すると考えられる。前記カチオン性構成単位を前記範囲で有する高分子凝集剤（Ｘ）であれば、有機性廃水の凝集処理において、前記有機性廃水と高分子凝集剤が均一に混和された後に、高分子凝集剤のカチオン性構成単位と有機性廃水のマイナス荷電成分が反応し微細フロックを形成するため、有機体窒素成分及びリン化合物を含む凝集フロックが良好に形成される。そのため、良好な有機体窒素成分とリン化合物の回収効果と、ＢＯＤ及びＣＯＤによる環境への負荷の低減の良好な効果とが得られる。従って、本発明に有機性廃水の処理方法によって、良質な処理水を得ることができる。
【００６２】
〔非アミジン系カチオン性ポリマー（Ａ）、非アミジン系カチオン性ポリマー（ＡＨ）及び非アミジン系カチオン性ポリマー（ＡＬ）〕
高分子凝集剤（Ｘ）には、特定構造の非アミジン系カチオン性ポリマー（Ａ）、非アミジン系カチオン性ポリマー（ＡＨ）及び非アミジン系カチオン性ポリマー（ＡＬ）が含まれる。また、非アミジン系カチオン性ポリマー（Ａ）、非アミジン系カチオン性ポリマー（ＡＨ）及び非アミジン系カチオン性ポリマー（ＡＬ）は、カチオン性構成単位と非イオン性構成単位とを有する。
【００６３】
（カチオン性構成単位）
非アミジン系カチオン性ポリマー（Ａ）、非アミジン系カチオン性ポリマー（ＡＨ）及び非アミジン系カチオン性ポリマー（ＡＬ）が有するカチオン性構成単位は、下記一般式（１）で表される構成単位である。
【００６４】
【化１】
2018153811.tif 000008
【００６５】
（一般式（１）中、Ｒ１は、水素原子又はメチル基を表し、Ｒ２及びＲ３は、それぞれ独立して水素原子及び炭素数が１〜４のアルキル基のうちのいずれかを表し、Ｒ４は、炭素数が１〜４のアルキル基又はベンジル基を表し、Ｙは、酸素原子又はＮＨであり、Ｚ−は、陰イオンを表し、ｎは１〜３の整数を表す。）
一般式（１）で表されるカチオン性構成単位の具体例としては、カチオン性モノマーであるジアルキルアミノアルキル（メタ）アクリレートのアミン塩、アルキルクロライド４級塩（例えば、Ｎ，Ｎ−ジメチルアミノエチルアクリレート塩化メチル４級塩及びＮ，Ｎ−ジメチルアミノエチルメタクリレート塩化メチル４級塩）に由来するカチオン性構成単位、ジアルキルアミノアルキル（メタ）アクリルアミドのアミン塩又はアルキルクロライド４級塩に由来するカチオン性構成単位が挙げられる。中でも、ジアルキルアミノアルキル（メタ）アクリレートアルキルクロライド４級塩が、凝集性能が高いため好ましい。カチオン性構成単位を構成するためのモノマーは、カチオン性モノマー１種類を単独で用いてもよく、２種類以上を併用してもよい。
【００６６】
非アミジン系カチオン性ポリマー（Ａ）におけるカチオン性構成単位の含有量の範囲は、１０モル％以上が好ましく、３０モル％以上がより好ましい。また、８０モル％以下が好ましく、６０モル％以下がより好ましい。
【００６７】
非アミジン系カチオン性ポリマー（ＡＨ）におけるカチオン性構成単位の含有量の範囲は、８０モル％以上であり、８５モル％以上がより好ましい。また、１００モル％以下である。
【００６８】
非アミジン系カチオン性ポリマー（ＡＬ）におけるカチオン性構成単位の含有量の範囲は、１モル％以上であり、４モル％以上がより好ましい。また、１０モル％以下であり、８モル％以下がより好ましい。
【００６９】
本発明に係る有機性廃水の処理方法に用いる高分子凝集剤（Ｘ）は、非アミジン系カチオン性ポリマー（ＡＨ）と非アミジン系カチオン性ポリマー（ＡＬ）との混合物であってもよい。混合物を用いる場合にも、混合物中のカチオン性構成単位の含有量の範囲は、１０モル％以上が好ましく、３０モル％以上がより好ましい。また、８０モル％以下が好ましく、６０モル％以下がより好ましい。
【００７０】
非アミジン系カチオン性ポリマー（Ａ）として、非アミジン系カチオン性ポリマー（ＡＨ）及び非アミジン系カチオン性ポリマー（ＡＬ）の混合物のように複数種類を混合して用いても、一種類のものを用いても、カチオン性構成単位の総量を前述のようにすることで、良好な凝集性能を発揮できる。
【００７１】
（非イオン性構成単位）
非アミジン系カチオン性ポリマー（Ａ）、非アミジン系カチオン性ポリマー（ＡＨ）及び非アミジン系カチオン性ポリマー（ＡＬ）は、非イオン性構成単位を含有する。非イオン性構成単位としては、モノマーが（メタ）アクリルアミドであることに由来する構成単位が挙げられる。非アミジン系カチオン性ポリマー（Ａ）における非イオン性構成単位の含有量は１モル％以上が好ましい。また、９９モル％以下が好ましい。
【００７２】
（還元粘度）
非アミジン系カチオン性ポリマー（Ａ）、非アミジン系カチオン性ポリマー（ＡＨ）及び非アミジン系カチオン性ポリマー（ＡＬ）の還元粘度の範囲は、７．０ｄＬ／ｇ以上が好ましく、９．０ｄＬ／ｇ以上がより好ましく、１１．０ｄＬ／ｇ以上が更に好ましい。また、２０．０ｄＬ／ｇ以下が好ましく、１７．０ｄＬ／ｇ以下がより好ましく、１５．０ｄＬ／ｇ以下が更に好ましい。
【００７３】
（非アミジン系カチオン性ポリマーの製造方法）
非アミジン系カチオン性ポリマー（Ａ）、非アミジン系カチオン性ポリマー（ＡＨ）及び非アミジン系カチオン性ポリマー（ＡＬ）の製造方法は、特に限定されないが、水溶液光重合方法、断熱重合方法、分散重合方法、乳化重合方法等の方法を適宜選択することができる。水溶液光重合方法では、例えば、前記の構成単位を構成するためのモノマーを水に溶解させたモノマー水溶液を、均一なシート状にして、光開始剤を用いて可視光又は紫外光を照射して重合させればよい。断熱重合方法では、例えば、モノマーの水溶液に１種類以上の開始剤を加えて重合させることで水性ゲル状の重合物が得られる。分散重合方法では、例えば、非水溶媒中にモノマー水溶液を分散させて重合すればよい。乳化重合方法では、非水溶媒中で乳化剤を用いてモノマー水溶液を乳化させて重合させればよい。光重合、断熱重合等の場合には、ポリマーは水性ゲルとして取得されるので、水性ゲルを粉砕、乾燥して粉末にすることがより好ましい。
【００７４】
また、前記の還元粘度を有する非アミジン系カチオン性ポリマー（Ａ）、非アミジン系カチオン性ポリマー（ＡＨ）及び非アミジン系カチオン性ポリマー（ＡＬ）の製造方法としては、特に限定されず、製造工程における重合時間、重合温度、連鎖移動剤添加量等の条件を、製造するポリマーの粘度を考慮して適宜選定すればよい。また、連鎖移動剤の添加量により、還元粘度を調整することが好ましい。連鎖移動剤の種類は特に限定されないが、例えばメルカプトエタノール、メルカプトプロピオン酸等のチオール化合物、亜硫酸ナトリウム、亜硫酸水素ナトリウム、次亜リン酸ナトリウム等の還元性無機塩類等が挙げられる。中でも特に次亜リン酸ナトリウムが好ましい。連鎖移動剤の添加量は、原料の全モノマーに対して１ｐｐｍ以上が好ましく、また、３０００ｐｐｍ以下が好ましい。
【００７５】
〔アミジン系カチオン性ポリマー（Ｂ）〕
高分子凝集剤は、特定のアミジン系カチオン性ポリマー（Ｂ）を更に含むことが好ましい。アミジン系カチオン性ポリマー（Ｂ）はカチオン密度が高く、有機性廃水中の、有機体窒素成分、特に溶解性蛋白質と効率よく反応し不溶化する。そのため、有機体窒素成分を多く含む凝集フロックを形成することができる。また、ＢＯＤ及びＣＯＤの凝集性も向上するため、より良質な処理水を得ることができる。
【００７６】
アミジン系カチオン性ポリマー（Ｂ）は、下記一般式（２）及び下記一般式（３）で表されるアミジン構成単位のうち少なくとも一つを有する。
【００７７】
【化２】
2018153811.tif 000009
【００７８】
【化３】
2018153811.tif 000010
【００７９】
（一般式（２）及び一般式（３）中、Ｒ５、Ｒ６はそれぞれ独立して水素原子又はメチル基のいずれかを表し、Ｘ−は陰イオンを表す。）
アミジン系カチオン性ポリマー（Ｂ）におけるアミジン構成単位の含有量の範囲は、３０モル％以上が好ましく、４０モル％以上がより好ましい。また、９０モル％以下が好ましく、８０モル％以下がより好ましい。前記範囲内であれば、有機性廃水の凝集処理において、有機体窒素成分、特に、溶解性蛋白質を効率よく不溶化し、有機体窒素成分を多く含む凝集フロックを形成することができる。
【００８０】
（アミジン系カチオン性ポリマーの製造方法）
アミジン系カチオン性ポリマー（Ｂ）の製造方法としては、特に限定されないが、アミノ基又は変換反応によりアミノ基を形成し得る置換アミノ基を有するエチレン性不飽和モノマーと、アクリロニトリル又はメタクリロニトリル等のニトリル類とのコポリマーを製造し、当該コポリマー中のシアノ基とアミノ基とを酸性下で反応させてアミジン化する方法が挙げられる。
【００８１】
前記のエチレン性不飽和モノマーとしては、下記一般式（４）で表わされる化合物であることが好ましい。
ＣＨ２＝ＣＲ７−ＮＨＣＯＲ８    一般式（４）
（式中、Ｒ７は水素原子又はメチル基、Ｒ８は水素原子又は炭素数１〜４のアルキル基を表す。）
前記コポリマーは、加水分解又は加アルコール分解により容易にアミノ基に変換される。更に、このアミノ基は、隣接したシアノ基と反応してアミジン化する。前記の一般式（４）で表される化合物の具体例としては、Ｎ−ビニルホルムアミド（Ｒ７＝Ｈ、Ｒ８＝Ｈ）、Ｎ−ビニルアセトアミド（Ｒ７＝Ｈ、Ｒ８＝ＣＨ３）等が挙げられる。
【００８２】
前記コポリマーにおけるエチレン性不飽和モノマーとニトリル類との使用割合は、モル比で２０：８０〜８０：２０が好ましく、４０：６０〜６０：４０がより好ましい。
【００８３】
アミジン系カチオン性ポリマー（Ｂ）の最も典型的な製造方法を説明する。まず、前記の説明に従い、Ｎ−ビニルホルムアミドとアクリロニトリルとを共重合させる。次に、形成したコポリマーを、塩酸の存在下、加熱し加水分解で形成したアミノ基と隣接するシアノ基からアミジン構成単位を形成させることにより製造される。この場合、共重合に供するＮ−ビニルホルムアミドとアクリロニトリルとのモル比、及びコポリマーのアミジン化条件を適宜、選択することにより、各種の組成を持つアミジン系カチオン性ポリマー（Ｂ）が得られる。なお、アミジン系カチオン性ポリマー（Ｂ）としては、入手し易い市販品から選択して使用してもよい。
【００８４】
アミジン系カチオン性ポリマー（Ｂ）の還元粘度は、０．１ｄＬ／ｇ以上が好ましく、１ｄＬ／ｇ以上がより好ましい。また、１０ｄＬ／ｇ以下が好ましく、５ｄＬ／ｇ以下がより好ましい。
【００８５】
〔他のポリマー〕
本発明に係る有機性廃水の処理方法で用いる高分子凝集剤は、本発明の効果を損なわない範囲で、非アミジン系カチオン性ポリマー（Ａ）、非アミジン系カチオン性ポリマー（ＡＨ）及び非アミジン系カチオン性ポリマー（ＡＬ）、アミジン系カチオン性ポリマー（Ｂ）以外の他の非アミジン系カチオン性ポリマー及び両性ポリマーを含んでいてもよい。他のカチオン性ポリマー及び両性ポリマーの混合比率は、高分子凝集剤の全質量に対して、１０質量％未満が好ましく、５質量％未満がより好ましく、０質量％が更に好ましい。
【００８６】
〔フロックの形成方法〕
高分子凝集剤の有機性廃水に添加する方法及びフロックの形成方法としては、公知の方法が適用できる。
【００８７】
高分子凝集剤の添加方法としては、例えば、高分子凝集剤を水に０．０５質量％以上、０．５質量％以下の濃度で溶解させた後、有機性廃水に添加することが好ましい。また、高分子凝集剤が非アミジン系カチオン性ポリマー（Ａ）、非アミジン系カチオン性ポリマー（ＡＨ）、非アミジン系カチオン性ポリマー（ＡＬ）、アミジン系カチオン性ポリマー（Ｂ）のうち２種類以上のポリマーからなる場合、各ポリマーを混合した１剤型薬剤として添加することがより好ましい。また、高分子凝集剤を粉末状のまま有機性廃水に添加してもよい。
【００８８】
本発明の有機性廃水の凝集処理方法において、より良好な凝集フロックを形成するために、必要に応じて、有機性廃水に高分子凝集剤を添加した後に、更に非アミジン系カチオン性ポリマー（Ａ）や非アミジン系カチオン性ポリマー（ＡＨ）、非アミジン系カチオン性ポリマー（ＡＬ）、アミジン系カチオン性ポリマー（Ｂ）以外の非アミジン系カチオン性ポリマーや両性ポリマー、アニオン性ポリマーからなる高分子凝集剤を添加してもよい。
【００８９】
高分子凝集剤の添加は、有機性廃水を撹拌しながら行うか、又は、添加の後に撹拌することが好ましい。高分子凝集剤を添加しながら行う撹拌の回転数、及び、高分子凝集剤を添加した後の撹拌の回転数は、１８０ｒｐｍ以上が好ましく、また、３０００ｒｐｍ以下が好ましい。１８０ｒｐｍ以上であることにより、高分子凝集剤がより均一に混和される。３０００ｒｐｍ以下であることにより、撹拌される力が強くなり過ぎないため、微細フロックが凝集フロックへと良好に成長する。
【００９０】
また、高分子凝集剤の添加の際には酸性物質を添加してもよい。酸性物質の添加によって、高分子凝集剤の水への溶解性が向上する。また、酸性物質を高分子凝集剤の水溶液に添加すれば、高分子凝集剤の水溶液の粘度が低下すること等による高分子凝集剤の劣化を防止できる。酸性物質の添加は、有機性廃水に対して、高分子凝集剤の添加の前、添加の後及び添加している間の、任意のときに行えばよい。また、酸性物質の添加は、有機性廃水に加えられる前の高分子凝集剤の水溶液に対して行ってもよい。酸性物質としては、例えば、スルファミン酸、酸性亜硫酸ナトリウム等が挙げられる。
【００９１】
〔固液分離〕
固液分離によって有機性廃水からフロックを分離する方法としては、特に限定されないが、例えば、凝集沈殿、浮上分離、遠心分離、ろ過等の方法が挙げられる。
【００９２】
また、脱水装置を用いて、有機性廃水から固液分離されたフロックの脱水を行ってもよい。脱水に使用し得る脱水装置としては、例えば、プレス脱水機、遠心脱水機、スクリュープレス脱水機、多重円盤式脱水機、ロータリープレスフィルター、真空脱水機等が挙げられる。
【００９３】
高分子凝集剤の添加量は、有機性廃水中のＳＳ、有機体窒素成分、リン化合物、ＢＯＤ及びＣＯＤ、懸濁物質、コロイド状物質、イオン性成分等の濃度等により、適宜設定すればよいが、大よその目安として、例えば、有機性廃水中にて、１ｐｐｍ以上となる量であり、また、３０００ｐｐｍ以下となる量である。
【００９４】
また、高分子凝集剤に加えて、凝結剤を併用してもよい。凝結剤としては、無機凝結剤及び有機凝結剤が挙げられる。併用する凝結剤は１種類でもよく複数種類でもよい。前記の高分子凝集剤は、凝結剤と併用しても、ＳＳ、ＢＯＤ及びＣＯＤの低減効果を十分に発揮することができる。
【００９５】
無機凝結剤としては、例えば、硫酸バンド、ポリ塩化アルミニウム、塩化第２鉄、硫酸第１鉄、硫酸第２鉄、ポリ鉄（ポリ硫酸鉄、ポリ塩化鉄）等が挙げられる。
【００９６】
有機凝結剤としては、例えば、ポリアミン、ポリジアリルジメチルアンモニウムクロライド、ポリジアルキルアミノアルキルメタクリレートのアルキルクロライド４級塩、カチオン性界面活性剤等が挙げられる。
【００９７】
凝結剤の添加時期は、特に限定されないが、高分子凝集剤を添加する前に有機性廃水に添加することが好ましい。凝結剤の添加量は、有機性廃水に添加する高分子凝集剤１００質量部に対し、５質量部以上であることが好ましく、また、３０００質量部以下であることが好ましい。
【００９８】
本発明の有機性廃水の処理方法において、前記有機性廃水に含まれる有機体窒素成分に対する、分離した前記フロックに含まれる有機体窒素成分の量の重量比で示される回収率は７０％以上であることが好ましく、８０％以上であることがより好ましい。また、前記重量比が１００％以下であることが好ましい。これまで説明した方法によれば、７０％以上という高い有機体窒素成分の回収率を実現できる。このように高い回収率によって、処理水の水質がより向上する。
【００９９】
本発明の有機性廃水の処理方法において、前記有機性廃水を３０００ｒｐｍで５分間、遠心分離にかけて得られる上澄み液に含まれる有機体窒素成分に対する、前記有機性廃水から固液分離された処理水の含有する有機体窒素成分の比率は０％以上であることが好ましく、５％以上であることがより好ましい。また、７０％以下であることが好ましく、５０％以下であることがより好ましく、３０％以下であることが更に好ましい。これまで説明した方法によれば、このように高い除去率で有機体窒素成分を除去できる。
【０１００】
また、本発明に係る有機性廃水の処理方法は、リン化合物を含む有機性廃水に好適に利用できる。有機性廃水がリン化合物を含む場合、前記フロックはリン化合物を含有するフロックになる。本発明の有機性廃水の凝集処理方法において、前記有機性廃水に含まれるリン化合物に対する、分離した前記フロックに含まれるリン化合物の量の重量比で示される回収率が５０％以上であることが好ましく、７０％以上であることがより好ましい。また、１００％以下であることが好ましい。これまで説明した方法によれば、５０％以上という高いリン化合物の回収率を実現できる。このように高い回収率によって、処理水の水質がより向上する。
【０１０１】
また、本発明は高分子凝集剤の新たな用途を提供するものであり、高分子凝集剤を含む、浮遊固形物（ＳＳ）に対して有機体窒素成分が６％／ＳＳ以上、２０％／ＳＳ以下である有機性廃水に添加して有機体窒素成分を含むフロックを形成した後に固液分離して前記有機性廃水から前記フロックと有機体窒素成分を分離回収するための有機性廃水処理用組成物も本発明の範疇である。また、高分子凝集剤を含む、浮遊固形物（ＳＳ）に対して有機体窒素成分が６％／ＳＳ以上、２０％／ＳＳ以下でありリン化合物を含む有機性廃水に添加して、リン化合物を含むフロックを形成した後に、固液分離して前記有機性廃水から前記フロックとリン化合物を分離回収するための有機性廃水処理用組成物も本発明の範疇である。
【０１０２】
本発明は上述した実施形態に限定されるものではなく、請求項に示した範囲で種々の変更が可能であり、実施形態中にそれぞれ開示された技術的手段を適宜組み合わせて得られる実施形態に関しても本発明の技術的範囲に含まれる。
【０１０３】
〔付記事項〕
以上に説明した通り、本発明に係る有機性廃水の処理方法では、前記有機性廃水が有機体窒素成分を含み、前記フロックが有機体窒素成分を含有するフロックであることがより好ましい。
【０１０４】
また、本発明に係る有機性廃水の処理方法では、高分子凝集剤が高分子凝集剤（Ｘ）であることがより好ましい。高分子凝集剤（Ｘ）を構成する各高分子凝集剤の全構成単位の合計に対して、カチオン性構成単位の含有量の範囲は１０モル％以上が好ましい。また、６０モル％以下が好ましい。
【０１０５】
また、本発明に係る有機性廃水の処理方法では、前記高分子凝集剤（Ｘ）が、前記一般式（１）で表されるカチオン性構成単位と、非イオン性構成単位とを有する非アミジン系カチオン性ポリマー（Ａ）、非アミジン系カチオン性ポリマー（ＡＨ）及び非アミジン系カチオン性ポリマー（ＡＬ）であることが好ましい。
【０１０６】
また、本発明に係る有機性廃水の処理方法では、前記非アミジン系カチオン性ポリマー（ＡＨ）が、全構成単位に対してカチオン性構成単位を８０モル％以上、１００モル％以下含むことが好ましい。また、前記非アミジン系カチオン性ポリマー（ＡＬ）が、全構成単位に対してカチオン性構成単位を１モル％以上、１０モル％以下含むことが好ましい。
【０１０７】
また、本発明に係る有機性廃水の処理方法では、前記高分子凝集剤（Ｘ）が、アミジン系カチオン性ポリマー（Ｂ）を更に含み、前記アミジン系カチオン性ポリマー（Ｂ）が前記一般式（２）及び前記一般式（３）で表されるアミジン構成単位のうちの少なくとも一つを有することが好ましい。
【０１０８】
本発明は一側面を列記すると以下の通りである。
［１］浮遊固形物（ＳＳ）に対して有機体窒素成分が６％／ＳＳ以上、２０％／ＳＳ以下である有機性廃水に、高分子凝集剤を添加してフロックを形成した後に、固液分離して前記有機性廃水から前記フロックを分離する、有機性廃水の処理方法。
［２］前記フロックが当該有機体窒素成分を含有するフロックである、［１］に記載の有機性廃水の処理方法。
［３］前記有機性廃水に含まれる有機体窒素成分に対する、分離した前記フロックに含まれる有機体窒素成分の量の重量比で示される回収率が７０％以上、１００％以下である［２］に記載の有機性廃水の処理方法。
［４］前記有機性廃水を３０００ｒｐｍで５分間、遠心分離にかけて得られる上澄み液に含まれる有機体窒素成分に対する、前記固液分離で得られる処理水に含まれる有機体窒素成分の比率が０％以上、７０％以下である［２］又は［３］に記載の有機性廃水の処理方法。
［５］前記有機性廃水がリン化合物を含み、前記フロックがリン化合物を含有するフロックである、［１］〜［４］のいずれか一項に記載の有機性廃水の処理方法。
［６］前記有機性廃水に含まれるリン化合物に対する、分離した前記フロックに含まれるリン化合物の量の重量比で示される回収率が５０％以上、１００％以下である［５］に記載の有機性廃水の処理方法。
［７］前記高分子凝集剤が少なくとも一種以上の高分子凝集剤から成る高分子凝集剤（Ｘ）であり、高分子凝集剤（Ｘ）は、構成する各高分子凝集剤の全構成単位の合計に対してカチオン性構成単位を１０モル％以上、６０モル％以下含む、［１］〜［６］のいずれか一項に記載の有機性廃水の処理方法。
［８］前記高分子凝集剤（Ｘ）が、下記一般式（１）で表されるカチオン性構成単位を有する非アミジン系カチオン性ポリマー（Ａ）である［７］に記載の有機性廃水の処理方法。
【０１０９】
【化４】
2018153811.tif 000011
【０１１０】
（一般式（１）中、Ｒ１は、水素原子又はメチル基を表し、Ｒ２及びＲ３は、それぞれ独立して水素原子及び炭素数が１〜４のアルキル基のうちのいずれかを表し、Ｒ４は、炭素数が１〜４のアルキル基又はベンジル基を表し、Ｙは、酸素原子又はＮＨであり、Ｚ−は、陰イオンを表し、ｎは１〜３の整数を表す。）
［９］前記高分子凝集剤（Ｘ）が、高分子凝集剤の全構成単位に対して前記一般式（１）で表されるカチオン性構成単位を８０モル％以上、１００モル％以下含む非アミジン系カチオン性ポリマー（ＡＨ）と、前記一般式（１）で表されるカチオン性構成単位を１モル％以上、１０モル％以下含む非アミジン系カチオン性ポリマー（ＡＬ）との混合物から成る、［８］に記載の有機性廃水の処理方法。
［１０］前記高分子凝集剤（Ｘ）が、アミジン系カチオン性ポリマー（Ｂ）を更に含み、前記アミジン系カチオン性ポリマー（Ｂ）が下記一般式（２）及び下記一般式（３）で表されるアミジン構成単位のうちの少なくとも一つを有する、［１］〜［９］のいずれか一項に記載の有機性廃水の処理方法。
【０１１１】
【化５】
2018153811.tif 000012
【０１１２】
【化６】
2018153811.tif 000013
【０１１３】
（一般式（２）及び一般式（３）中、Ｒ５、Ｒ６はそれぞれ独立して水素原子又はメチル基のいずれかを表し、Ｘ−は陰イオンを表す。）
［１１］前記有機性廃水の有機体窒素成分が８００ｍｇ／Ｌ以上、１００００ｍｇ／Ｌ以下である、［１］〜［１０］のいずれかに記載の有機性廃水の処理方法。
［１２］前記有機性廃水の下記式で求められるコロイド比が５．０以上である、［１］〜［１１］のいずれか一項に記載の有機性廃水の処理方法。
【０１１４】
【数７】
2018153811.tif 000014
【０１１５】
（式中、コロイド値（上澄み）（ｍｅｑ／Ｌ）は、有機性廃水を３０００ｒｐｍで５分間、遠心分離にかけて得られる上澄み液に含まれる荷電量を示し、コロイド値（全体）（ｍｅｑ／Ｌ）は、有機性廃水中に含まれる荷電量を示し、ＴＳ（％）は、有機性廃水中の蒸発残留物の重量百分率を示し、ＳＳ（％）は、有機性廃水中の浮遊固形物の重量百分率を示し、ＳＶＩ３０００（ｍＬ／ｇ）は有機性廃水を３０００ｒｐｍで５分間に遠心分離にかけて得られる沈殿物の比容積を示す。）
［１３］高分子凝集剤を含む、浮遊固形物（ＳＳ）に対して有機体窒素成分が６％／ＳＳ以上、２０％／ＳＳ以下である有機性廃水に添加して有機体窒素成分を含むフロックを形成した後に固液分離して前記有機性廃水から前記フロックと有機体窒素成分を分離回収するための有機性廃水処理用組成物。
［１４］高分子凝集剤を含む、浮遊固形物（ＳＳ）に対して有機体窒素成分が６％／ＳＳ以上、２０％／ＳＳ以下でありリン化合物を含む有機性廃水に添加して、リン化合物を含むフロックを形成した後に、固液分離して前記有機性廃水から前記フロックとリン化合物を分離回収するための有機性廃水処理用組成物。
【実施例】
【０１１６】
以下、実施例及び比較例を用いて本発明を詳細に説明するが、本発明はその要旨を超えない限り以下の記載によって限定されるものではない。なお、本実施例及び比較例における「％」は特に断りのない限り「質量％」を示す。以下の製造例で得られた各ポリマーに関しては、以下に示す還元粘度の測定を行った。測定には、粉末状の高分子凝集剤を用いた。
【０１１７】
［還元粘度の測定］
１規定塩化ナトリウム水溶液中、０．１ｇ／ｄＬのポリマー溶液として２５℃でオストワルド粘度計により還元粘度を測定した。
【０１１８】
［各ポリマーの各モノマーに由来する構成単位の割合（モル％）の測定］
各ポリマーを重水に溶解させ、ＮＭＲスペクトロメーター（日本電子社製、２７０ＭＨｚ）にて１３Ｃ−ＮＭＲスペクトルを測定した。１３Ｃ−ＮＭＲスペクトルの各繰り返し単位に対応したピークの積分値より各ポリマーの各モノマーに由来する構成単位の割合（モル％）を算出した。
【０１１９】
実施例で用いた原料を以下に示す。
【０１２０】
［モノマー］
（ｉ）カチオン性モノマー：
（ａ）Ｎ，Ｎ−ジメチルアミノエチルアクリレート塩化メチル４級塩（以下、「ＤＭＥ」という。）、大阪有機化学工業社製、８０質量％水溶液
（ｂ）Ｎ，Ｎ−ジメチルアミノエチルメタクリレート塩化メチル４級塩（以下、「ＤＭＣ」という。）、大阪有機化学工業社製、８０質量％水溶液
（ii）非イオン性モノマー：
（ａ）アクリルアミド（以下、「ＡＡＭ」という。）、三菱レイヨン株式会社製、５０質量％水溶液
（ｂ）アクリロニトリル（以下、「ＡＮ」という。）、三菱レイヨン株式会社製、純度９９質量％
（ｃ）Ｎ−ビニルホルムアミド（以下、「ＮＶＦ」と記す）、三菱レイヨン株式会社製、純度９１質量％水溶液
［開始剤］
（ｉ）２−ヒドロキシ−２−メチル−１−フェニルプロパン−１−オン（ＤＡＲＯＣＵＲ１１７３）、（以下、「Ｄ−１１７３」と記す）、Ｃｉｂａ社製
（ｉｉ）２，２’−アゾビス（２−アミジノプロパン）２塩酸塩（Ｖ−５０）（以下、「Ｖ−５０」と記す）、和光純薬社製
［連鎖移動剤］
次亜リン酸ナトリウム（以下、「ＨＰＡ」と記す）、和光純薬社製
［無機凝結剤］
ポリ硫酸第二鉄、日鉄鉱業株式会社製、全鉄含有量  １１．０％以上
［非アミジン系カチオン性ポリマー（Ａ）の合成］
（製造例１）
ＤＭＥ２５６．３ｇ、ＡＡＭ５９５．０ｇを、内容積２０００ｍＬの褐色耐熱瓶に投入し、ＨＰＡ０．０５ｇ及び蒸留水を加え、総質量が２０００ｇのモノマー水溶液（ＤＭＥ：ＡＡＭ＝４０．０：６０．０（モル％）、モノマー濃度５０％）を調製した。次に、Ｄ−１１７３を、モノマー水溶液の総質量に対して、１５０ｐｐｍとなるように投入し、これに窒素ガスを３０分間吹き込みながらモノマー水溶液の温度を２０℃に調節した。
【０１２１】
その後、モノマー水溶液をステンレス反応容器に移し、容器の下方から１６℃の水を噴霧しながら、ケミカルランプを用いて、容器の上方から５Ｗ／ｍ２の照射強度で、表面温度が４０℃になるまで光を照射した。表面温度が４０℃に到達した後は、０．３Ｗ／ｍ２の照射強度で３０分間光を照射した。更に、モノマーの残存量を低減させるために、照射強度を５０Ｗ／ｍ２にして１０分間光を照射することで、含水ゲル状のポリマーを得た。得られた含水ゲル状のポリマーを容器から取り出し、小型ミートチョッパーを用いて解砕した後、温度６０℃で１６時間乾燥した。その後、ウィレー型粉砕機を用いて乾燥したポリマーを粉砕し非アミジン系カチオン性ポリマー（Ａ）（ポリマーＡ−１）を得た。
【０１２２】
（製造例２〜１２）
各モノマー及びＨＰＡの量を表１に記載の割合に変更した以外は、製造例１と同様の操作を行い、非アミジン系カチオン性ポリマー（Ａ）、（ポリマーＡ−２〜Ａ−１２）を得た。
【０１２３】
［非アミジン系カチオン性ポリマー（ＡＨ）の合成］
（製造例１３〜１６）
各モノマー及びＨＰＡの量を表１に記載の割合に変更した以外は、製造例１と同様の操作を行い、非アミジン系カチオン性ポリマー（ＡＨ）、（ポリマーＡＨ−１〜ＡＨ−４）を得た。
【０１２４】
［非アミジン系カチオン性ポリマー（ＡＬ）の合成］
（製造例１７、１８）
各モノマー及びＨＰＡの量を表１に記載の割合に変更した以外は、製造例１と同様の操作を行い、非アミジン系カチオン性ポリマー（ＡＬ）、（ポリマーＡＬ−１、ＡＬ−２）を得た。
【０１２５】
【表１】
2018153811.tif 000015
【０１２６】
［アミジン系カチオン性ポリマー（Ｂ）の合成］
（製造例１９）
攪拌機、窒素導入管、冷却管を備えた内容積５０ｍＬの四つ口フラスコに、ＡＮ及びＮＶＦの混合物（モル比５５：４５）６ｇと蒸留水３４ｇとの混合物を入れた。その後、窒素ガス中で攪拌しつつ６０℃に昇温し、Ｖ−５０を０．１２ｇ添加し、更に、６０℃で３時間保持し、水中にポリマーが析出した懸濁物を得た。懸濁物に蒸留水２０ｇを添加し、更に、濃塩酸をポリマーのホルミル基に対し１当量添加して、１００℃で４時間保持することで、黄色の高粘度液を得た。これを多量のアセトンに添加し、ポリマーを析出させ、得られたポリマーゲルを細断し、６０℃で１昼夜乾燥後、粉砕することでアミジン系カチオン性ポリマー（Ｂ）（ポリマーＢ−１）を得た。
【０１２７】
ポリマーＢ−１を重水に溶解させ、ＮＭＲスペクトロメーター（日本電子社製、２７０ＭＨｚ）にて１３Ｃ−ＮＭＲスペクトルを測定した。１３Ｃ−ＮＭＲスペクトルの各繰り返し単位に対応したピークの積分値より各構成単位の組成を算出した。前記一般式（２）及び一般式（３）の構成単位は、区別することなく、その総量として求めた。結果を表２に示す。
【０１２８】
【表２】
2018153811.tif 000016
【０１２９】
（＊）アミジン：アミジン塩酸塩構成単位、ＮＶＦ：Ｎ−ビニルホルムアミド構成単位、ＡＮ：アクリロニトリル構成単位、ＶＡＭ：ビニルアミン塩酸塩構成単位
［高分子凝集剤の調製］
（製造例２０〜２５）
表１及び表２に記載のポリマーを表３に記載の各混合比率で混合・調製することで、表３に記載の高分子凝集剤（ブレンド１〜６）を得た。
【０１３０】
【表３】
2018153811.tif 000017
【０１３１】
［有機性廃水のＴＳの測定］
有機性廃水のＴＳは、前記のＴＳの測定方法によって測定した。
【０１３２】
［有機性廃水及び処理水のＳＳの測定］
有機性廃水及び処理水のＳＳは、前記のＳＳの測定方法によって測定した。
【０１３３】
［有機性廃水及び処理水のＣＯＤの測定］
有機性廃水及び処理水のＣＯＤは、前記のＪＩＳ  Ｋ  ０１０２：１７に記載のＣＯＤ（Ｍｎ）の測定方法によって測定した。
【０１３４】
［有機性廃水及び処理水の有機体窒素成分（全蛋白質）の測定］
有機性廃水及び処理水の有機体窒素成分（全蛋白質）は、色素クマシーブルーで発色させて吸光度を測定する前記のＢｒａｄｆｏｒｄ法による蛋白質の測定方法によって測定した。
【０１３５】
［有機性廃水の溶解性蛋白質の測定］
有機性廃水の溶解性蛋白質は、前記の溶解性蛋白質の測定方法によって測定した。即ち、有機性廃水を３０００ｒｐｍで５分間、遠心分離にかけて得られる上澄み液中の蛋白質を色素クマシーブルーで発色させて吸光度を測定するＢｒａｄｆｏｒｄ法によって測定した。
【０１３６】
［有機性廃水及び処理水の全リンの測定］
有機性廃水及び処理水の全リンは、前記のペルオキソ二硫酸カリウム分解法とモリブデン青吸光光度法による全リンの測定方法によって測定した。
【０１３７】
［有機性廃水のコロイド値（上澄み）の測定］
有機性廃水のコロイド値（上澄み）は、前記のコロイド値の測定方法によって測定した。
【０１３８】
［有機性廃水のコロイド値（全体）の測定］
有機性廃水のコロイド値（全体）は、前記のコロイド値の測定方法によって測定した。
【０１３９】
［有機性廃水のＳＶＩ３０００の測定］
有機性廃水のＳＶＩ３０００は、前記のＳＶＩ３０００の測定方法によって測定した。
【０１４０】
［有機性廃水のコロイド比の測定］
有機性廃水のコロイド比は、前記のコロイド比の測定方法によって測定した。
【０１４１】
（実施例１〜２５、比較例１）
［使用した有機性廃水］
酪農産業の処理施設から発生した有機性廃水として、ＫＷ牧場の廃水処理設備から採取した酪農廃水で次の特性を有する廃水を用いた。即ち、ＪＩＳ規格に記載された分析方法を用いて測定された廃水のｐＨが８．２８、ＴＳが３１５８０ｍｇ／Ｌ、ＳＳが２１８００ｍｇ／Ｌ、ＣＯＤが１２０００ｍｇ／Ｌ、全蛋白質が２３８０ｍｇ／Ｌ、溶解性蛋白質が８６３ｍｇ／Ｌ、ＳＳに対する有機体窒素成分が１０．９％／ＳＳ、全リンが４７０ｍｇ／Ｌ、コロイド値（上澄み）が−８．５ｍｅｑ／Ｌ、コロイド値（全体）が−１０．４ｍｅｑ／Ｌ、ＳＶＩ３０００が１３．５ｍＬ／ｇ、コロイド比が３５．７である廃水を用いた。
【０１４２】
［凝集試験］
先ず、５００ｍＬのビーカーに前記有機性廃水３００ｍＬを採取した。次いで、表１〜３に記載のそれぞれのポリマーを０．３％に溶解して高分子凝集剤水溶液を調製し、これを表４、５に示す濃度になるように添加した後、スパチュラにより、攪拌速度：１８０回転／分、攪拌時間：６０秒間の条件下に撹拌混合して凝集フロックを形成させた。その後、凝集フロックを沈殿させ、凝集フロックと処理水を分離した。
【０１４３】
［評価方法］
［凝集フロック粒径、処理水のＳＳ、処理水のＣＯＤ、処理水の全蛋白、処理水の全リン］
各実施例において凝集フロックを形成させた後に攪拌を止め、凝集フロック粒径を目視により測定した。その後、処理水を採取し、処理水のＳＳ、処理水ＣＯＤ、処理水の全蛋白質、処理水の全リンを測定した。
【０１４４】
［全蛋白質回収率］
各実施例において測定した有機性廃水及び処理水の全蛋白質から、下記式を用いて、全蛋白質回収率を求めた。
【０１４５】
【数８】
2018153811.tif 000018
【０１４６】
［蛋白質残留率］
各実施例において測定した有機性廃水の溶解性蛋白質と処理水の全蛋白質から、下記式を用いて、蛋白質残留率を求めた。
【０１４７】
【数９】
2018153811.tif 000019
【０１４８】
［全リン回収率］
各実施例において測定した有機性廃水及び処理水の全リンから、下記式を用いて、全リン回収率を求めた。
【０１４９】
【数１０】
2018153811.tif 000020
【０１５０】
［脱水ケーキの含水率］
凝集フロックを０．１ＭＰａの圧力で６０秒間プレス脱水して脱水ケーキを得て、その含水率を測定した。含水率の測定は、（財）日本下水道協会編、「下水道試験法上巻１９９７年度版」ｐ２９６−２９７に準拠して行った。
【０１５１】
【表４】
2018153811.tif 000021
【０１５２】
【表５】
2018153811.tif 000022
【０１５３】
表４、５に示すように、本発明に係る有機性廃水の処理方法にて対象とする範囲の有機性廃水に対して、本発明に係る有機性廃水の処理方法に従って処理を行った実施例１〜２５では、粗大な凝集フロックを形成し、処理水のＳＳ及びＣＯＤが低く、良質な処理水が得られた。また、処理水の全蛋白質、及び全リンは低く、良好な全蛋白質および全リンの回収性能を示した。
【０１５４】
また、高分子凝集剤を構成する各高分子凝集剤の全構成単位の合計に対する、カチオン性構成単位の含有量が１０〜６０モル％の範囲内である実施例１〜１６、２０〜２４では、全蛋白質回収率及び全リン回収率が高く、また蛋白質残留率は低く、特に優れた全蛋白質および全リンの回収性能を示した。
【０１５５】
表４、５に示すように、比較例１は、本発明に係る有機性廃水の処理方法の範囲外の無機凝結剤を用いて、有機性廃水の凝集処理を実施した結果であり、処理水のＳＳ、ＣＯＤが高かった。また、処理水の全蛋白質および全リンも高く、良好な蛋白質および全リンの回収効果を確認できなかった。
【０１５６】
（実施例２６〜２８）
［使用有機性廃水］
養豚産業の処理施設から発生した有機性廃水として、ＨＴ畜産の廃水処理施設から採取した養豚尿液廃水で次の特性を有する廃水を用いた。即ち、ＪＩＳ規格に記載された分析方法を用いて測定された廃水のｐＨが６．５６、ＴＳが４７３２０ｍｇ／Ｌ、ＳＳが３３３００ｍｇ／Ｌ、ＣＯＤが６５４０ｍｇ／Ｌ、全蛋白質が３０２０ｍｇ／Ｌ、溶解性蛋白質が８９５ｍｇ／Ｌ、ＳＳに対する有機体窒素成分が９．１％／ＳＳ、全リンが４７５ｍｇ／Ｌ、コロイド値（上澄み）が−３．５ｍｅｑ／Ｌ、コロイド値（全体）が−１０．１ｍｅｑ／Ｌ、コロイド比が８．６である廃水を用いた。
【０１５７】
［凝集試験］
試験に用いた高分子凝集剤を表６、７に示す通りに変更した以外は、実施例１と同様の凝集試験を実施した。実施例２６〜２８における評価結果を表６、７に示す。
【０１５８】
【表６】
2018153811.tif 000023
【０１５９】
【表７】
2018153811.tif 000024
【０１６０】
表６、７に示すように、本発明に係る有機性廃水の処理方法の対象とする範囲の有機性廃水に対して、本発明に係る有機性廃水の処理方法に従って処理を行った実施例２６〜２８では、粗大な凝集フロックを形成し、処理水のＳＳ及びＣＯＤが低く、良質な処理水が得られた。また、処理水の全蛋白質、及び全リンは低く、良好な全蛋白質および全リンの回収性能を示した。
【０１６１】
また、高分子凝集剤を構成する各高分子凝集剤の全構成単位の合計に対する、カチオン性構成単位の含有量が１０〜６０モル％の範囲内である実施例２６、２７では、全蛋白質回収率及び全リン回収率が高く、また蛋白質残留率は低く、特に優れた全蛋白質および全リンの回収性能を示した。
【０１６２】
（実施例２９、３０）
［使用有機性廃水］
下水処理場の処理施設から発生した有機性廃水として、ＴＫ処理場の廃水処理施設から採取した混合生汚泥で次の特性を有する廃水を用いた。即ち、ＪＩＳ規格に記載された分析方法を用いて測定された廃水のｐＨが５．４３、ＴＳが２５８００ｍｇ／Ｌ、ＳＳが２３２００ｍｇ／Ｌ、ＣＯＤが９４００ｍｇ／Ｌ、全蛋白質が１５３０ｍｇ／Ｌ、溶解性蛋白質が１２４ｍｇ／Ｌ、ＳＳに対する有機体窒素成分が６．６％／ＳＳ、全リンが２６９０ｍｇ／Ｌ、コロイド値（上澄み）が−０．５ｍｅｑ／Ｌ、コロイド値（全体）が−８．４ｍｅｑ／Ｌ、ＳＶＩ３０００が１５．７ｍＬ／ｇ、コロイド比が８．３である廃水を用いた。
【０１６３】
［凝集試験］
試験に用いた高分子凝集剤を表８、９に示す通りに変更した以外は、実施例１と同様の凝集試験を実施した。実施例２９、３０における評価結果を表８、９に示す。
【０１６４】
【表８】
2018153811.tif 000025
【０１６５】
【表９】
2018153811.tif 000026
【０１６６】
表８、９に示すように、本発明に係る有機性廃水の処理方法の対象とする範囲の有機性廃水に対して、本発明に係る有機性廃水の処理方法に従って処理を行った実施例２９、３０では、粗大な凝集フロックを形成し、処理水のＳＳ及びＣＯＤが低く、良質な処理水が得られた。また、処理水の全蛋白質、及び全リンは低く、良好な全蛋白質および全リンの回収性能を示した。
【０１６７】
また、高分子凝集剤を構成する各高分子凝集剤の全構成単位の合計に対する、カチオン性構成単位の含有量が１０〜６０モル％の範囲内である実施例２９では、全蛋白質回収率及び全リン回収率が高く、また蛋白質残留率は低く、特に優れた全蛋白質および全リンの回収性能を示した。
【０１６８】
（実施例３１、３２）
［使用有機性廃水］
養豚産業の処理施設から発生した有機性廃水として、ＨＴ畜産の廃水処理施設から採取した養豚尿液廃水で次の特性を有する廃水を用いた。即ち、ＪＩＳ規格に記載された分析方法を用いて測定された廃水のｐＨが６．６３、ＴＳが４８７００ｍｇ／Ｌ、ＳＳが３７０００ｍｇ／Ｌ、ＣＯＤが６８４０ｍｇ／Ｌ、全蛋白質が３７１０ｍｇ／Ｌ、溶解性蛋白質が１１６０ｍｇ／Ｌ、ＳＳに対する有機体窒素成分が１０．０％／ＳＳ、全リンが６４７０ｍｇ／Ｌ、コロイド値（上澄み）が−１．４ｍｅｑ／Ｌ、コロイド値（全体）が−８．２ｍｅｑ／Ｌ、ＳＶＩ３０００が７．１ｍＬ／ｇ、コロイド比が５．０である廃水を用いた。
【０１６９】
［凝集試験］
試験に用いた高分子凝集剤を表１０、１１に示す通りに変更した以外は、実施例１と同様の凝集試験を実施した。実施例３１、３２における評価結果を表１０、表１１に示す。
【０１７０】
【表１０】
2018153811.tif 000027
【０１７１】
【表１１】
2018153811.tif 000028
【０１７２】
表１０、１１に示すように、本発明に係る有機性廃水の処理方法の対象とする範囲の有機性廃水に対して、本発明に係る有機性廃水の処理方法に従って処理を行った実施例３１、３２では、粗大な凝集フロックを形成し、処理水のＳＳ及びＣＯＤが低く、良質な処理水が得られた。また、処理水の全蛋白質及び全リンは低く、良好な全蛋白質および全リンの回収性能を示した。
【０１７３】
また、高分子凝集剤を構成する各高分子凝集剤の全構成単位の合計に対する、カチオン性構成単位の含有量が１０〜６０モル％の範囲内である実施例３１では、全蛋白質回収率及び全リン回収率が高く、また蛋白質残留率は低く、特に優れた全蛋白質および全リンの回収性能を示した。
【０１７４】
（比較例２、３）
［使用有機性廃水］
下水処理場の処理施設から発生した有機性廃水として、ＯＧ処理場の廃水処理施設から採取した消化汚泥で次の特性を有する廃水を用いた。即ち、ＪＩＳ規格に記載された分析方法を用いて測定された廃水のｐＨが７．７３、ＴＳが２２６４０ｍｇ／Ｌ、ＳＳが１８１００ｍｇ／Ｌ、ＣＯＤが４２００ｍｇ／Ｌ、全蛋白質が８３５ｍｇ／Ｌ、溶解性蛋白質が２８０ｍｇ／Ｌ、ＳＳに対する有機体窒素成分が４．５％／ＳＳ、全リンが６３０ｍｇ／Ｌ、コロイド値（上澄み）が−２．５ｍｅｑ／Ｌ、コロイド値（全体）が−２０．４ｍｅｑ／Ｌ、ＳＶＩ３０００が１７．６ｍＬ／ｇ、コロイド比が１１．６である廃水を用いた。
【０１７５】
［凝集試験］
試験に用いた高分子凝集剤を表１２、１３に示す通りに変更した以外は、実施例１と同様の凝集試験を実施した。比較例２、３における評価結果を表１２、１３に示す。
【０１７６】
【表１２】
2018153811.tif 000029
【０１７７】
【表１３】
2018153811.tif 000030
【０１７８】
表１２、１３に示すように、本発明に係る有機性廃水の処理方法の対象外の有機性廃水に対して、本発明に係る有機性廃水の処理方法で用いる高分子凝集剤により処理を行った比較例２、３では、全蛋白質回収率及び全リン回収率が低く、また、蛋白質残留率も高く、良好な蛋白質および全リンの回収効果を確認できなかった。
【産業上の利用可能性】
【０１７９】
本発明に係る有機性廃水の処理方法によれば、有機性廃水の凝集処理において、複雑な前処理を行わず、高分子凝集剤を添加し混合することで、良好で且つ有機体窒素成分を多く含む凝集フロックが形成される。このため、有機性廃水中の有機体窒素成分やリン化合物を固形物として効率よく分離回収でき、且つ分離液中のＳＳとＢＯＤ及びＣＯＤが大幅に低減し、良質な水質の処理水が得られる。
【手続補正書】
【提出日】平成30年7月11日(2018.7.11)
【手続補正１】
【補正対象書類名】明細書
【補正対象項目名】０１４１
【補正方法】変更
【補正の内容】
【０１４１】
（実施例１〜１２、１６、２０〜２４、参考例１３、１４、１５、１７、１８、１９、２５、比較例１）
［使用した有機性廃水］
酪農産業の処理施設から発生した有機性廃水として、ＫＷ牧場の廃水処理設備から採取した酪農廃水で次の特性を有する廃水を用いた。即ち、ＪＩＳ規格に記載された分析方法を用いて測定された廃水のｐＨが８．２８、ＴＳが３１５８０ｍｇ／Ｌ、ＳＳが２１８００ｍｇ／Ｌ、ＣＯＤが１２０００ｍｇ／Ｌ、全蛋白質が２３８０ｍｇ／Ｌ、溶解性蛋白質が８６３ｍｇ／Ｌ、ＳＳに対する有機体窒素成分が１０．９％／ＳＳ、全リンが４７０ｍｇ／Ｌ、コロイド値（上澄み）が−８．５ｍｅｑ／Ｌ、コロイド値（全体）が−１０．４ｍｅｑ／Ｌ、ＳＶＩ３０００が１３．５ｍＬ／ｇ、コロイド比が３５．７である廃水を用いた。
【手続補正２】
【補正対象書類名】明細書
【補正対象項目名】０１５１
【補正方法】変更
【補正の内容】
【０１５１】
【表４】
2018153811.tif 000035
【手続補正３】
【補正対象書類名】明細書
【補正対象項目名】０１５２
【補正方法】変更
【補正の内容】
【０１５２】
【表５】
2018153811.tif 000036
【手続補正４】
【補正対象書類名】明細書
【補正対象項目名】０１５３
【補正方法】変更
【補正の内容】
【０１５３】
表４、５に示すように、本発明に係る有機性廃水の処理方法にて対象とする範囲の有機性廃水に対して、本発明に係る有機性廃水の処理方法に従って処理を行った実施例１〜１２、１６、２０〜２４では、粗大な凝集フロックを形成し、処理水のＳＳ及びＣＯＤが低く、良質な処理水が得られた。また、処理水の全蛋白質、及び全リンは低く、良好な全蛋白質および全リンの回収性能を示した。
【手続補正５】
【補正対象書類名】明細書
【補正対象項目名】０１５４
【補正方法】変更
【補正の内容】
【０１５４】
また、高分子凝集剤を構成する各高分子凝集剤の全構成単位の合計に対する、カチオン性構成単位の含有量が１０〜６０モル％の範囲内である実施例１〜１２、１６、２０〜２４では、全蛋白質回収率及び全リン回収率が高く、また蛋白質残留率は低く、特に優れた全蛋白質および全リンの回収性能を示した。